(57)【要約】【課題】アナログラジオ放送再生時であってもデジタルラジオ放送に含まれる付随データを取得する。【解決手段】付随データが多重化されたデジタル放送と、当該デジタル放送に対応するアナログ放送とを受信可能な放送受信機であって、デジタル放送とアナログ放送を選択的に再生する再生手段と、該再生手段によりアナログ放送が再生される間、アナログ放送に対応するデジタル放送信号の受信強度を検知するデジタル信号強度検知手段と、該検知されたデジタル放送信号の受信強度に応じて、デジタル放送の付随データを取得する付随データ取得手段と、を備えた放送受信機を提供する。【選択図】図２
2009130744.tif 000002
【特許請求の範囲】
【請求項１】
付随データが多重化されたデジタル放送と、当該デジタル放送に対応するアナログ放送とを受信可能な放送受信機において、
前記デジタル放送と前記アナログ放送を選択的に再生する再生手段と、
前記再生手段により前記アナログ放送が再生される間、前記アナログ放送に対応するデジタル放送信号の受信強度を検知するデジタル信号強度検知手段と、
前記検知されたデジタル放送信号の受信強度に応じて、該デジタル放送の付随データを取得する付随データ取得手段と
を備えたことを特徴とする放送受信機。
【請求項２】
前記デジタル放送の受信信号に基づいて前記デジタル放送に関するステータス情報を生成するステータス情報生成手段を更に備え、
前記デジタル信号強度検知手段は、生成されたステータス情報に基づいて前記デジタル放送信号の受信強度を検知することを特徴とする請求項１に記載の放送受信機。
【請求項３】
前記デジタル信号強度検知手段は、前記ステータス情報に含まれるＤＡＡＩ（Digital Audio Availability Indicator）に基づいて前記デジタル放送信号の受信強度を検知することを特徴とする請求項２に記載の放送受信機。
【請求項４】
前記付随データ取得手段に取得された付随データを処理して表示する表示手段を更に備えたことを特徴とする請求項１から請求項３の何れかに記載の放送受信機。
【請求項５】
前記付随データは、ＰＳＤ（Program Service Data）、ＳＩＳ（Station Information Service）の少なくとも１つを含むことを特徴とする請求項１から請求項４の何れかに記載の放送受信機。
【請求項６】
前記デジタル放送とアナログ放送は、ＩＢＯＣ方式の信号フォーマットで伝送される放送であることを特徴とする請求項１から請求項５の何れかに記載の放送受信機。
【請求項７】
移動体に取り付けられたことを特徴とする請求項１から請求項６の何れかに記載の放送受信機。
【請求項８】
デジタル放送に多重化された付随データを取得する付随データ取得方法において、
前記デジタル放送に対応するアナログ放送を再生するステップと、
前記アナログ放送再生中、該アナログ放送に対応するデジタル放送信号の受信強度を検知する強度検知ステップと、
検知された前記デジタル放送信号の受信強度に応じて、該デジタル放送の付随データを取得する付随データ取得ステップと、を含む付随データ取得方法。
【請求項９】
前記デジタル放送の受信信号に基づいて前記デジタル放送に関するステータス情報を生成するステータス情報生成ステップを更に含み、
前記強度検知ステップにおいて、前記生成されたステータス情報に基づいて前記デジタル放送信号の受信強度を検知することを特徴とする請求項８に記載の付随データ取得方法。
【請求項１０】
前記強度検知ステップにおいて、前記ステータス情報に含まれるＤＡＡＩに基づいて前記受信信号の強度を検知することを特徴とする請求項９に記載の付随データ取得方法。
【請求項１１】
前記付随データ取得ステップにおいて取得された付随データを処理して表示する表示ステップを更に含む請求項８から請求項１０の何れかに記載の付随データ取得方法。
【請求項１２】
前記付随データは、ＰＳＤ、ＳＩＳの少なくとも１つを含むことを特徴とする請求項８から請求項１１の何れかに記載の付随データ取得方法。
【請求項１３】
前記デジタル放送とアナログ放送が、ＩＢＯＣ方式の信号フォーマットで伝送される放送であることを特徴とする請求項８から請求項１２の何れかに記載の付随データ取得方法。
【発明の詳細な説明】
【技術分野】
【０００１】
本発明は、デジタル／アナログ形式のハイブリッド放送の受信に適した放送受信機および方法に関連し、より詳細には、デジタル放送に多重化された付随データを取得する放送受信機および付随データ取得方法に関するものである。
【背景技術】
【０００２】
近年、音響機器や映像機器等において音声や映像をデジタル形式で処理、管理することが一般化している。このような音響機器等における音声や映像のデジタル符号化の趨勢はラジオ放送の分野にも波及している。例えば米国では、ＩＢＯＣ（In Band On Channel）と呼ばれるデジタルラジオ放送方式がｉＢｉｑｕｉｔｙ（アイビクイティ）社によって提案され、実用化されている。
【０００３】
ところで、従来のアナログラジオ放送は、各放送局に割り当てられた周波数帯域（以下、「チャネル」という）内に周波数分布をもつ搬送波（以下、「アナログ搬送波」という）によって放送される。実際には、隣接するチャネルのアナログ搬送波同士の干渉を避けるために、割り当てられた周波数帯域のうちの中心部分のみがアナログ搬送波の伝送に使用され、それ以外の部分は使用されていない。
【０００４】
ＩＢＯＣ方式は、従来のアナログラジオ放送に割り当てられた周波数帯域を使用してデジタルラジオ放送を行う方式である。ＩＢＯＣ方式には、既存のアナログラジオ放送の信号にデジタルラジオ放送の信号を重畳させたハイブリッドフォーマットや、デジタル信号のみからなるオールデジタルフォーマットなど、複数の信号フォーマットが規定されており、既存のアナログラジオ放送から多機能・高品位なオールデジタルフォーマット放送へと段階的に移行できるようにデザインされている。
【０００５】
ＩＢＯＣ方式では、アナログ放送からオールデジタル放送への過渡期において、ハイブリッドフォーマットという信号フォーマットが利用される。ハイブリッドフォーマットでは、アナログ搬送波が配置される帯域中心部分に隣接する従来使用されていなかった周波数帯（以下、「サイドバンド」という）にデジタル放送のサブキャリアが配置される。すなわち、ＩＢＯＣ方式のハイブリッドフォーマットによれば、既存のアナログラジオ放送に割り当てられた周波数帯を有効に活用して、アナログラジオ放送とデジタルラジオ放送が同一チャネルを使用して同時に伝送される。
【０００６】
ＩＢＯＣ方式のデジタルラジオ放送では、ＰＳＤ（Program Service Data）等の付随データが番組音声データに多重化されている。ＰＳＤは、ユーザに提供する種々の情報をＩＤ３タグを用いて記述したものであり、具体的には、番組名や曲名、アーティスト名、アルバム名、ジャンル名などの番組に関係する情報を含む。すなわち、ＩＢＯＣ方式のデジタルラジオ放送は、ＰＳＤを用いて音声以外の様々な情報をユーザに提供することができる。
【０００７】
このように多重化されたＩＢＯＣ方式のデジタルラジオ放送信号を受信可能に構成されたＨＤ（High Definition）ラジオが、例えば特許文献１に開示されている。当該特許文献１に記載のＨＤラジオは、デジタルラジオ放送の受信中には、番組再生とともに、ＰＳＤによって送られる情報（以下、「ＰＳＤ情報」という）をディスプレイに表示する。そして、受信電波の品質が劣化してデジタルラジオ放送信号の受信が困難になると、当該デジタルラジオ放送信号の受信から同一チャンネルのアナログラジオ放送信号の受信に自動的に切り換える。アナログラジオ放送信号にはＰＳＤに相当するデータが含まれていないため、アナログラジオ放送信号の受信に切り替わった時点でＰＳＤ情報はディスプレイから消えてしまう。このため、特許文献１に記載のＨＤラジオは、デジタルラジオ放送信号を受信中、ＰＳＤを所定のメモリに格納し、アナログラジオ放送に切り替わった際に当該メモリに格納されたＰＳＤを読み出してＰＳＤ情報をディスプレイに表示するように構成されている。
【特許文献１】特開２００４−１３５２１９号公報
【発明の開示】
【発明が解決しようとする課題】
【０００８】
ユーザの嗜好は種々多様であり、デジタルラジオ放送よりもアナログラジオ放送の音質が好みというユーザもいる。ＨＤラジオは、このようなユーザの嗜好を考慮して構成されており、具体的には、受信チャンネルの信号フォーマットや受信状態に拘わらず、再生する放送をアナログラジオ放送に固定する機能を有する。
【０００９】
このようにアナログラジオ放送の音質を好むユーザにも、番組中に流されている曲名やアーティスト名等を知りたいという要望がある。しかしながら、既存のＨＤラジオは、アナログラジオ放送再生時にはＰＳＤを取得することができず、ＰＳＤ情報をディスプレイに表示することができない。また、特許文献１に記載のＨＤラジオは、アナログラジオ放送再生時にＰＳＤ情報をディスプレイに表示することはできるが、他の既存のＨＤラジオと同様に、ＰＳＤ自体を新たに取得することができない。従って、アナログラジオ放送への切替後に新たな曲が流れたとしても、デジタルラジオ放送に切り替わらない限り、その曲に対応したＰＳＤ情報がディスプレイに表示されることはない。
【００１０】
本発明は上記の事情に鑑みてなされたものであり、その目的とするところは、アナログラジオ放送再生時であってもデジタルラジオ放送に含まれる付随データを取得することができる放送受信機および付随データ取得方法を提供することにある。
【課題を解決するための手段】
【００１１】
上記の課題を解決する本発明の一形態に係る放送受信機は、付随データが多重化されたデジタル放送と、当該デジタル放送に対応するアナログ放送とを受信可能な放送受信機であり、デジタル放送とアナログ放送を選択的に再生する再生手段と、該再生手段によりアナログ放送が再生される間、アナログ放送に対応するデジタル放送信号の受信強度を検知するデジタル信号強度検知手段と、該検知されたデジタル放送信号の受信強度に応じて、デジタル放送の付随データを取得する付随データ取得手段と、を備えたことを特徴としたものである。
【００１２】
このような構成によれば、アナログ放送再生中もデジタル放送の付随データを取得可能であるため、例えば再生する放送をアナログ放送に固定しているユーザも付随データの情報を参照できるようになる。
【００１３】
このような放送受信機は、デジタル放送の受信信号に基づいてデジタル放送に関するステータス情報を生成するステータス情報生成手段を更に備えた構成としてもよい。この場合、デジタル信号強度検知手段は、生成されたステータス情報、例えば当該ステータス情報に含まれるＤＡＡＩ（Digital Audio Availability Indicator）に基づいてデジタル放送信号の受信信号の強度を検知することとなる。
【００１４】
また、放送受信機は、付随データ取得手段に取得された付随データを処理して表示する表示手段を更に備えた構成としてもよい。
【００１５】
ここで、付随データは、例えばＰＳＤ、ＳＩＳ（Station Information Service）の少なくとも１つを含むものである。
【００１６】
また、ここでいうデジタル放送とアナログ放送は、例えばＩＢＯＣ方式の信号フォーマットで伝送される放送としてもよい。
【００１７】
また、このような放送受信機の一例として、例えば移動体に取り付けられたものが挙げられる。
【００１８】
また、上記の課題を解決する本発明の一形態に係る付随データ取得方法は、デジタル放送に多重化された付随データを取得する方法であり、デジタル放送に対応するアナログ放送を再生するステップと、アナログ放送再生中、該アナログ放送に対応するデジタル放送信号の受信強度を検知する強度検知ステップと、検知されたデジタル放送信号の受信強度に応じて、該デジタル放送の付随データを取得する付随データ取得ステップと、を含む。
【００１９】
このような方法によれば、アナログ放送再生中もデジタル放送の付随データを取得可能であるため、例えば再生する放送をアナログ放送に固定しているユーザも付随データの情報を参照できるようになる。
【００２０】
このような付随データ取得方法は、デジタル放送の受信信号に基づいてデジタル放送に関するステータス情報を生成するステータス情報生成ステップを更に含むものとしてもよい。この場合、強度検知ステップにおいて、生成されたステータス情報、例えば当該ステータス情報に含まれるＤＡＡＩに基づいてデジタル放送信号の受信強度が検出されることとなる。
【００２１】
また、付随データ取得方法は、付随データ取得ステップにおいて取得された付随データを処理して表示する表示ステップを更に含む方法としてもよい。
【００２２】
このような付随データ取得方法における付随データには、ＰＳＤ、ＳＩＳの少なくとも１つが含まれる。
【００２３】
また、このような付随データ取得方法では、デジタル放送とアナログ放送は、例えばＩＢＯＣ方式の信号フォーマットで伝送される放送としてもよい。
【発明の効果】
【００２４】
本発明に係る放送受信機および付随データ取得方法によれば、アナログ放送再生中もデジタル放送の付随データを取得可能であるため、例えば再生する放送をアナログ放送に固定しているユーザも付随データの情報を参照できるようになる。
【発明を実施するための最良の形態】
【００２５】
以下、図面を参照して、本発明の実施の形態のＨＤラジオについて説明する。
【００２６】
図１は、本発明の実施の形態のＨＤラジオ１００の構成を示したブロック図である。ＨＤラジオ１００は、例えば移動体である車両に取り付けられている。ＨＤラジオ１００は、ＩＢＯＣ方式のラジオ放送に適合して設計され、当該方式の信号フォーマットによる放送信号を受信して処理するように構成されている。
【００２７】
ＨＤラジオ１００は、アンテナ１、チューナ２、ＩＦ（Intermediate Frequency）アンプ６、セパレータＳＥＰ、ＩＦフィルタ７、Ａ／Ｄコンバータ８、ＤＳＰ（Digital Signal Processor）９、オーディオ信号処理部１０、Ｄ／Ａコンバータ１１、パワーアンプ１２、スピーカ１３、ＰＬＬ（Phase Locked Loop）回路１４、マイクロコンピュータ１５、ＩＤＭ（IBOC Digital Module）１６、受光部１７、リモート・コントローラ（以下、「リモコン」という）１８、表示制御回路１９、およびディスプレイ２０を備えている。
【００２８】
リモコン１８にはＨＤラジオ１００を操作するための操作キーが設けられている。ユーザがリモコン１８を操作すると、その操作に応じた制御パルスがリモコン１８から出力される。このとき出力される制御パルスは、例えばＩｒＤＡ規格に準拠した信号である。受光部１７は、リモコン１８が出力したこの制御パルスを受信すると、それをマイクロコンピュータ１５に渡す。
【００２９】
マイクロコンピュータ１５は、ＨＤラジオ１００全体の統括的な制御を司る。マイクロコンピュータ１５には様々な制御プログラムが実装されており、受光部１７から受け取った制御パルスに基づいてそれらの制御プログラムを実行して、ＨＤラジオ１００内の各要素を制御する。
【００３０】
ＨＤラジオ１００は、以下のようにしてラジオ放送信号を再生する。すなわち、アンテナ１が電波を受信してチューナ２に出力すると、チューナ２は、マイクロコンピュータ１５によるＰＬＬ回路１４を介した制御により、受信した電波から選局チャネルのＲＦ（Radio Frequency）信号を抽出して、フィルタリング等の信号処理に適した中間周波数への周波数変換を行う。ＲＦ信号の周波数変換によって得られたＩＦ信号は、次にＩＦアンプ６に入力される。
【００３１】
なお、上記の選局チャネルは、リモコン１８等を用いたユーザによる選局操作に従って決定される。また、最後に選局されたチャネル（以下、「ラストチャネル」という）の情報は、マイクロコンピュータ１５の内部メモリ又は図示しないフラッシュＲＯＭ等に保存される。ＨＤラジオ１００に電源が投入された直後は、マイクロコンピュータ１５は、内部メモリ等に保存されたラストチャンネルがチューニングされるようにチューナ２を制御する。
【００３２】
ＩＦアンプ６は、入力されたＩＦ信号を増幅してセパレータＳＥＰに出力する。なお、ＩＦアンプ６の増幅率は、ＩＦアンプ６への入力信号の強度に関係なく、ＩＦアンプ６からの出力信号が設定された強度となるようにフィードバック制御によって調節されている。セパレータＳＥＰは、入力されたＩＦ信号を２つの信号成分に分離する。分離される信号成分の１つは、アナログ搬送波をＩＦ信号に変換することで得られる信号成分であり、もう１つは、サイドバンドのサブキャリアをＩＦ信号に変換することで得られる信号成分である。なお、説明の便宜上、前者の信号成分を「アナログＩＦ信号」、後者の信号成分を「デジタルＩＦ信号」と記す。セパレータＳＥＰは、アナログＩＦ信号をＩＦフィルタ７に、デジタルＩＦ信号をＡ／Ｄコンバータ８に出力する。
【００３３】
なお、上記は、選局チャンネルがハイブリッドフォーマットのチャンネルであることを前提とした説明である。当然ながら、選局チャンネルでアナログラジオ放送（又はデジタルラジオ放送）だけが放送されている場合、セパレータＳＥＰが分離するデジタルＩＦ信号（又はアナログＩＦ信号）は有効な信号成分を含まず、ノイズに過ぎない。
【００３４】
ＩＦフィルタ７は、入力されるアナログＩＦ信号にフィルタリング処理を施して不要な周波数成分を除去し、該アナログＩＦ信号をＡ／Ｄコンバータ８に出力する。Ａ／Ｄコンバータ８は、アナログＩＦ信号用とデジタルＩＦ信号用に別々のＡ／Ｄ変換処理回路を備えている。そして、入力されたアナログＩＦ信号およびデジタルＩＦ信号をそれぞれに対応したＡ／Ｄ変換処理回路によってＡ／Ｄ変換してＤＳＰ９に出力する。
【００３５】
ＤＳＰ９は、検波回路９ａ、ノイズキャンセラー９ｂ、および弱電界処理回路９ｃを備えている。そして、ＤＳＰ９に入力されたアナログＩＦ信号は検波回路９ａに、デジタルＩＦ信号はＩＤＭ１６にそれぞれ出力される。
【００３６】
アナログＩＦ信号は、検波回路９ａによりオーディオ信号に復調され、次いで、ノイズキャンセラー９ｂによってノイズが除去される。そして、ノイズ除去後の信号は、弱電界処理回路９ｃにより選局チャネルの受信状態に応じた処理（ミュート、ハイカット、セパレーション制御等）が施されて、アナログオーディオ信号としてオーディオ信号処理部１０に出力される。
【００３７】
ＩＤＭ１６は、ＩＢＯＣ方式のデジタルラジオ放送信号処理専用に設計されたモジュールである。ＩＤＭ１６は、ＤＳＰ９から入力されたデジタルＩＦ信号を復調し、復調して得られた信号をデコードして所定の誤り訂正処理を行い、その結果得られたデータを番組音声データと付随データに分離する。そして、分離された番組音声データ、すなわちデジタルラジオ放送のオーディオ信号（以下、「デジタルオーディオ信号」）はオーディオ信号処理部１０に出力される。
【００３８】
また、ＩＤＭ１６は、復調処理で得られる信号のＣＮ比やＳＮ比、デコード処理で得られるデータのエラービットレート等に基づいて受信信号（デジタルラジオ放送信号）の品質を測定し、当該品質に基づいてブレンド信号、ステータス情報を生成する。そして、生成されたブレンド信号はオーディオ信号処理部１０に、ステータス情報はマイクロコンピュータ１５に出力される。
【００３９】
ＩＤＭ１６が生成するステータス情報には、選局チャネルでデジタル放送が行われているか否かを示すコードであるＤＡＡ（Digital Audio Acquired）が含まれている。ＤＡＡは、選局チャネルの信号に復号可能なデジタル放送信号が含まれず、デジタル放送が行われていないと判断される場合には「０ｘ００」、復号可能なデジタル信号が含まれており、デジタルラジオ放送が行われていると判断される場合には「０ｘ０１」となる。
【００４０】
また、リモコン１８等を用いたユーザ操作によりアナログラジオ放送のみを再生するように設定されている場合には、選局チャネルの信号に復号可能なデジタル信号が含まれていても、ＩＤＭ１６はＤＡＡとして「０ｘ００」を出力する。
【００４１】
オーディオ信号処理部１０は、ブレンド回路１０ａおよびオーディオ処理回路１０ｂを備えている。ブレンド回路１０ａは、入力されたブレンド信号に基づいて、ＤＳＰ９からのアナログオーディオ信号と、ＩＤＭ１６からのデジタルオーディオ信号に対するブレンド処理を行う。具体的には、受信電波の品質レベルが所定レベル以上であるときには、ブレンド回路１０ａは、ブレンド信号に基づいて、実質的にデジタルオーディオ信号のみが出力されるようにアナログオーディオ信号を減衰する。また、受信電波の品質レベルが所定レベルに満たないとき、或いは、ユーザ操作によって再生するラジオ放送がアナログラジオ放送に固定されているときには、ブレンド回路１０ａは、ブレンド信号に基づいて、実質的にアナログオーディオ信号のみが出力されるようにデジタルオーディオ信号を減衰する。また、受信電波の品質レベルが所定レベルを跨いで変化するときには、ブレンド回路１０ａは、ブレンド信号に基づいて、アナログオーディオ信号とデジタルオーディオ信号との遅延量、品質差等を考慮した補正を行いながら信号のミキシングを行いつつ、音声がスムーズにつながるように、出力するオーディオ信号を切り替える。ブレンド回路１０ａが出力したオーディオ信号は、オーディオ処理回路１０ｂに入力され、当該オーディオ処理回路１０ｂにより所定の処理が施された後、Ｄ／Ａコンバータ１１に出力される。
【００４２】
そして、Ｄ／Ａコンバータ１１に入力されたオーディオ信号は、Ｄ／Ａ変換された後、パワーアンプ１２に入力される。パワーアンプ１２に入力されたオーディオ信号は、ユーザのボリューム操作に応じて増幅されて、スピーカ１３から出力される。以上の信号処理を経て、選局チャンネルのラジオ放送が再生される。
【００４３】
マイクロコンピュータ１５は、ＩＤＭ１６からステータス情報を受け取る毎に、図２に示されるＰＳＤ取得処理を行う。図２によれば、マイクロコンピュータ１５は、先ずステータス情報に含まれるＤＡＡが「０ｘ０１」であるか否かを判定する（ステップ１、以下の明細書および図面においてステップを「Ｓ」と略記する）。そして、ＤＡＡが「０ｘ０１」である場合（Ｓ１：ＹＥＳ）、前述のようにデジタルラジオ放送信号の受信状態は良好であり、デジタルオーディオ信号の再生に適した状態にある。従って、マイクロコンピュータ１５は、付随データを取得可能と判断して、ＩＤＭ１６にＧＥＴコマンドを出力して付随データ（ここではＰＳＤ）を要求し、これを取得して（Ｓ２）、ＰＳＤ取得処理を終了する。
【００４４】
次いで、マイクロコンピュータ１５は、取得したＰＳＤを解釈し、その解釈結果を表示制御回路１９に出力する。そして、表示制御回路１９は、入力された解釈結果に所定の処理を施して、ディスプレイ２０に出力する。以上の処理により、ＰＳＤ情報がディスプレイ２０に表示される。
【００４５】
ところで、デジタルラジオ放送が行われていないか、デジタルラジオ放送信号の受信状態が悪く、デジタルオーディオ信号の再生ができない場合には、ＩＤＭ１６がマイクロコンピュータ１５に出力するＤＡＡは「０ｘ００」となる。そのため、従来のＨＤラジオは、ＤＡＡが「０ｘ００」である場合には、デジタルラジオ放送信号の受信状態が悪く、ＩＤＭ１６が付随データを含むデジタルラジオ放送信号をデコードできない状態にあると判断し、図２のＰＳＤ取得処理に相当する処理をこの段階で終了していた。このため、ＤＡＡが「０ｘ００」である場合には、ＰＳＤは取得されず、ＰＳＤ情報をディスプレイに表示することができなかった。
【００４６】
しかしながら、前述のように、アナログオーディオ信号のみを再生するように設定されている場合には、デジタルラジオ放送信号の受信状態が良好であってもＤＡＡは「０ｘ００」となる。すなわち、ＤＡＡが「０ｘ００」であっても、ＰＳＤ等の付随データを復号できる場合がある。そのため、本実施形態のＨＤラジオ１００では、ＤＡＡが「０ｘ００」である場合には（Ｓ１：ＮＯ）、ステータス情報に含まれるＤＡＡとは別のデータを利用してＰＳＤの取得が可能か否かを判断し、取得可能な場合にＰＳＤ情報をディスプレイ２０に表示できるように構成されている。具体的には、マイクロコンピュータ１５は、ステータス情報に含まれるＤＡＡＩ（Digital Audio Availability Indicator）を利用してＰＳＤの取得可否を判断する。ＤＡＡＩは、デジタルラジオ放送信号の受信強度を数値化して示したデータであり、通常は、ディスプレイに表示される当該受信強度のインジケータとして用いられている。
【００４７】
ＤＡＡＩが「０」である場合（Ｓ３：ＮＯ）、デジタルラジオ放送信号の受信強度は極めて弱く、ＩＤＭ１６は付随データをデコードすることができない。このため、マイクロコンピュータ１５は、ＰＳＤ情報を取得することなくＰＳＤ取得処理を終了する。
【００４８】
一方、ＤＡＡＩが「０」を上回る値である場合（Ｓ３：ＹＥＳ）、デジタルラジオ放送信号は付随データを復号するのに十分な受信強度を有しており、ＩＤＭ１６は付随データのデコードを正常に行うことができる。従って、マイクロコンピュータ１５は、ＩＤＭ１６にＧＥＴコマンドを出力してＰＳＤを要求し、次いでＩＤＭ１６からＰＳＤを取得して（Ｓ２）、ＰＳＤ取得処理を終了する。これにより、ＰＳＤ情報がディスプレイ２０に表示され、再生するラジオ放送をアナログラジオ放送に固定しているユーザも、現在流れている曲名やそのアーティスト名等をディスプレイ２０で確認できるようになる。
【００４９】
以上が本発明の実施形態である。本発明は、これらの実施形態に限定されるものではなく、本発明の技術的思想の範囲において様々な変形が可能である。例えばＳ３の処理で採用される閾値は「０」に限らず、ＨＤラジオ１００の仕様に応じて適宜選択される。
【００５０】
また、例えば図２のＰＳＤ取得処理において取得の対象となるデータはＰＳＤに限らず、ラジオ局のショートネームやロングネーム等の情報を含むＳＩＳ（Station Information Service）としてもよい。
【図面の簡単な説明】
【００５１】
【図１】本発明の実施の形態のＨＤラジオの構成を示すブロック図である。
【図２】本発明の実施の形態で実行されるＰＳＤ取得処理を示すフローチャートである。
【符号の説明】
【００５２】
１  アンテナ
２  チューナ
６  ＩＦアンプ
７  ＩＦフィルタ
８  Ａ／Ｄコンバータ
９  アナログ用信号処理回路
１０  オーディオ信号処理部
１１  Ｄ／Ａコンバータ
１２  パワーアンプ
１３  スピーカ
１４  ＰＬＬ回路
１５  マイクロコンピュータ
１６  ＩＤＭ
１７  受光部
１８  リモコン
１９  表示制御回路
２０  ディスプレイ
１００  ＨＤラジオ
ＳＥＰ  セパレータ
【図１】
2009130744.tif 000003
【図２】
2009130744.tif 000004